(57)【要約】【課題】本発明は媒体によるコンテンツ発行方法、サービス事業者側装置及びシステム提供者側装置に関し、エンドユーザの要求が発生した時点で情報を媒体に入れて現場で発行すると共に、サービス事業者が必要とする明確なコストだけをシステム提供者に支払うビジネルモデルを構築する。【解決手段】エンドユーザ３が求める情報を媒体に入れ発行するサービス事業者側装置１と、サービスシステムを提供するシステム提供者側装置２とを備えたシステムにおいて、システム提供者側装置２は、サービス事業者側装置１から提供される共通情報に基づき、レーベルの印刷と共通情報の書き込みを施した供給媒体をサービス事業者側装置１に事前に提供し、サービス事業者側装置１は、エンドユーザ３の注文に応じた個別情報のみを供給媒体に追記することで、エンドユーザ３から求める情報を入れた媒体を発行する。【選択図】        図１
2004348305.tif 000002
【特許請求の範囲】
【請求項１】
エンドユーザが求める情報を媒体に入れ発行するサービス事業者側装置と、サービスシステムを提供するシステム提供者側装置とを有するシステムの媒体によるコンテンツ発行方法において、
前記システム提供者側装置は、サービス事業者側装置から提供された共通情報に基づき、レーベルの印刷と共通情報の書き込みを施した供給媒体をサービス事業者側装置に事前に提供し、
サービス事業者側装置は、エンドユーザの注文に応じた個別情報のみを供給媒体に追記することで、エンドユーザから求めた情報を入れた媒体を発行することを特徴とする媒体によるコンテンツ発行方法。
【請求項２】
前記システム提供者側装置は、共通情報と個別情報の内容の違いに関わらず、これらをハイパーリンクで参照できるＨＴＭＬで記述されたファイルと、これを閲覧するための情報閲覧プログラムを供給媒体に同梱してサービス事業者側装置に提供することを特徴とする請求項１記載の媒体によるコンテンツ発行方法。
【請求項３】
前記システム提供者側装置は、供給媒体を提供することで、サービス事業者側装置から対価を得ると共に、
前記サービス事業者側装置は、供給媒体に個別情報を書き込み、エンドユーザに発行することで対価を得ることを特徴とする請求項１記載の媒体によるコンテンツ発行方法。
【請求項４】
エンドユーザが求める情報を媒体に入れ発行するサービス事業者側装置と、サービスシステムを提供するシステム提供者側装置とを備え、媒体によるコンテンツ発行を行うシステムの前記サービス事業者側装置であって、
記録媒体のレーベルデザイン、エンドユーザに伝えたい情報、広告などの共通情報を作成し、システム提供者側装置のＷｅｂサーバにアップロードするための共通情報入力端末と、
各エンドユーザに対応した個別情報を取得して作成し、システム提供者側装置のＷｅｂサーバにアップロードするための個別情報入力端末と、
エンドユーザの要求に基づいて、システム提供者側装置のＷｅｂサーバに保存されている個別情報をシステム提供者側装置から供給媒体に追記し発行する商品媒体発行端末とを備えていることを特徴とするサービス事業者側装置。
【請求項５】
エンドユーザが求める情報を媒体に入れ発行するサービス事業者側装置と、サービスシステムを提供するシステム提供者側装置とを備え、媒体によるコンテンツ発行を行うシステムの前記システム提供者側装置であって、
Ｗｅｂサーバと、レーベル印刷装置と、媒体データ書込装置を備えると共に、
前記Ｗｅｂサーバは、
サービス事業者側装置から受け取ったレーベルデザインデータを保存するレーベルデザインデータファイルと、
サービス事業者側装置から受け取った共通情報を保存する共通情報ファイルと、
媒体に記録された情報を閲覧する情報閲覧プログラムを保存する情報閲覧プログラムファイルと、
サービス事業者側装置から受け取った個別情報を保存する個別情報ファイルを備えていることを特徴とするシステム提供者側装置。
【発明の詳細な説明】
【０００１】
【発明の属する技術分野】本発明は、エンドユーザが求めるコンテンツを媒体に入れて発行するサービスに利用される媒体によるコンテンツ発行方法、サービス事業者側装置及びシステム提供者側装置に関する。
【０００２】
近年、デジタルコンテンツの作成／編集が容易になるに伴い、エンドユーザにカスタマイズしたコンテンツを記録媒体に入れ提供するサービスが出現している。例えば、エンドユーザに関わるイベントを映像として記録編集し記録媒体で提供するサービスや、エンドユーザから提供された映像素材を編集して記録媒体に入れ提供するサービスなどがそれに該当する。
【０００３】
【従来の技術】以下、特許文献１を従来例として説明する。
【０００４】
図１２は従来例の説明図（その１）、図１３は従来例の説明図（その２）である。以下、図１２、１３を参照しながら従来例について説明する。
【０００５】
従来例は、デジタルコンテンツの加工販売システムに関する発明であり、所望のデジタル情報を試視聴した後、ＣＤ（コンパクトディスク）等の所定の記録媒体に記録して販売する（購入選択に基づいて販売する）デジタルコンテンツの加工販売システムを提供するものである。
【０００６】
図１２において、本部サーバー３は、図示外の大容量の記憶手段が接続され、デジタル情報配給元２から配信された音楽、映画、ＴＶ放映内容等のデジタルコンテンツからなるデジタル情報を受信して、内部の記憶手段に統括して記憶する。
【０００７】
また、顧客を直に接する各店舗内に設けられる店舗サーバー４は、本部サーバー３から配信されるデジタル情報を受信し、受信したデジタル情報を、所定のパターンで分類して、試視聴データ記憶手段５および販売データ６に記憶する。
【０００８】
そして、顧客が試視聴する音楽、映画、テレビ放映内容等を、タイトル名、アーティスト名、主演俳優名等を選択することにより、試視聴データ記憶手段５内を検索して、該当する項目を試視聴手段１１に転送する。また、顧客が購入する音楽、映画、テレビ放映内容等を、タイトル名、アーティスト名、主演俳優名等、または、試視聴したもので販売データ記憶手段６を検索して、デジタル情報記録手段１２と印刷手段１３に転送する。
【０００９】
このようにして、音楽、映画、ＴＶ放映内容等のデジタルコンテンツからなるデジタル情報を配信するデジタル情報配給元２１  、２２  、２３  から本部サーバー３を経由してサーバー４で受信して分類し、試視聴用デジタル情報として試視聴データ記憶手段５に記憶する。
【００１０】
そして、試視聴手段１１により前記試視聴データ記憶手段５から転送された特定のデジタル情報の試視聴を行い、特定のデジタル情報および／またはオリジナル情報取込手段１０から取り込んだオリジナル情報をそのまま、または加工してデジタル情報記憶手段１２により所定の媒体に記録し、本部サーバー３からの指示に従い、販売データ記憶手段６に記憶された特定のデジタル情報および／またはオリジナル情報取込手段１０から取り込んだオリジナル情報をそのまま、または加工して印刷した提供物たる商品の代金をキャッシャーで会計を行う。
【００１１】
次に、図１３のフローチャートに基づいて処理を説明する。なお、図１３において、Ｓ２８〜Ｓ６５は各処理ステップを示す。
【００１２】
まず、音楽のデジタル情報を購入しようとする顧客や、映画、ＴＶ放映内容のデジタル情報を購入しようとする顧客は、デジタル情報を販売する当店舗へ入り、タッチパネル式入力手段９が設けられた試視聴購入選択手段８へ行く。タッチパネル式入力手段９には、デジタル情報の選択メニュー等からなるメインメニューが表示されている（Ｓ２８）。
【００１３】
このメニュー画面において、表示された終了ボタンが、触手して入力されたか否かの判定を行い（Ｓ２９）、終了する場合は、Ｓ６３の処理を行い、終了しない場合は、試視聴購入選択があるか否かの判定を行い（Ｓ３０）、次の試視聴購入選択処理を行う。
【００１４】
試視聴購入選択処理（Ｓ３１）は、タッチパネル式入力手段９に、試視聴・購入選択のメニュー画面が表示される。この試視聴・購入選択のメニュー画面には、例えば、「音楽」、「映画」、「ＴＶ放映内容」、「映像カラオケ」等の選択入力キーと、検索方法メニューとして、「ジャンルによる検索」、「アーティスト名による検索（ただし、映画の場合は主演俳優名、ＴＶ放映の場合は、主演俳優名、司会者等）」、「曲名による検索（映画、ＴＶ放映の場合は、題名）」等が表示され、これらの中から所望とする検索方法を選択して触手入力する。
【００１５】
検索方法が選択されると、検索ワード入力の画面が表示されるから、この画面から例えば、アーティスト名を入力する。入力した検索ワードでよければ、次の処理を行い、再入力の必要があれば、前の処理に戻る。
【００１６】
また、Ｓ２９の処理で入力が終了すれば、依頼があったか否かを判定し（Ｓ６３）、依頼がなければこの処理を終了する。しかし、依頼があれば、会計を行い（Ｓ６４）、購入物がある場合はＣＤ、ＭＤ等を渡し（Ｓ６５）、この処理を終了する。
【００１７】
【特許文献１】
特開２０００−３２２６４５公報
【特許文献２】
特願２００３−４２０７（Ｈ１５／１／１０出願）
【特許文献３】
特開２００２−３４２２０６公報
【００１８】
【発明が解決しようとする課題】前記のような従来のものにおいては、次のような課題があった。
【００１９】
前記従来例では、エンドユーザの求める情報をＣＤ等の記録媒体（或いは、単に「媒体」と記す）に入れ発行するサービスでは、サービス事業者側装置が、エンドユーザの求める個別情報を作成するが、事前にエンドユーザから個別情報を受け取るかして、サービス事業者側装置又はシステム提供者側装置の所有する機材を用いて、媒体のレーベルを印刷し、サービス事業者側装置の提供したい共通情報を織りまぜて編集した後、媒体に書き込みエンドユーザに発行していた。
【００２０】
従って、エンドユーザの要求発生時点から、サービス事業者がエンドユーザの求める情報を媒体に入れて発行する時点までには、レーベルの印刷と情報の編集と書き込み、媒体の発送による大きな時間差が生じていた。
【００２１】
また、サービス事業者が機材を所有するためには設備コストがかかり、システム提供者のサービスを利用する場合は、一般に不明瞭なサービス利用料金が必要であった。
【００２２】
本発明は、このような従来の課題を解決し、前記エンドユーザの要求発生時点から、サービス事業者側装置がエンドユーザの求める情報を媒体に入れて発行する時点までの時間差を短縮し、エンドユーザの要求が発生した時点で情報を媒体に入れて現場で発行すると共に、サービス事業者側が必要とする明確なコストだけをシステム提供者側に支払うビジネルモデルを構築することを目的とする。
【００２３】
【課題を解決するための手段】本発明は前記の目的を達成するため、次のように構成した。
【００２４】
（１）  ：エンドユーザが求める情報を媒体に入れ発行するサービス事業者側装置と、サービスシステムを提供するシステム提供者側装置とを有するシステムの媒体によるコンテンツ発行方法において、前記システム提供者側装置はサービス事業者側装置から提供された共通情報に基づき、レーベルの印刷と共通情報の書き込みを施した供給媒体をサービス事業者側装置に事前に提供し、サービス事業者側装置はエンドユーザの注文に応じた個別情報のみを供給媒体に追記することで、エンドユーザから求めた情報を入れた媒体を発行することを特徴とする。
【００２５】
（２）  ：前記（１）  の媒体によるコンテンツ発行方法において、前記システム提供者側装置は、共通情報と個別情報の内容の違いに関わらず、これらをハイパーリンクで参照できるＨＴＭＬで記述されたファイルと、これを閲覧するための情報閲覧プログラムを供給媒体に同梱してサービス事業者側装置に提供することを特徴とする。
【００２６】
（３）  ：前記（１）  の媒体によるコンテンツ発行方法において、前記システム提供者側装置は、供給媒体を提供することで、サービス事業者側装置から対価を得ると共に、前記サービス事業者側装置は、供給媒体に個別情報を書き込み、エンドユーザに発行することで対価を得ることを特徴とする。
【００２７】
（４）  ：エンドユーザが求める情報を媒体に入れ発行するサービス事業者側装置と、サービスシステムを提供するシステム提供者側装置とを備え、媒体によるコンテンツ発行を行うシステムの前記サービス事業者側装置であって、記録媒体のレーベルデザイン、エンドユーザに伝えたい情報、広告などの共通情報を作成し、システム提供者側装置のＷｅｂサーバにアップロードするための共通情報入力端末と、各エンドユーザに対応した個別情報を取得して作成し、システム提供者側装置のＷｅｂサーバにアップロードするための個別情報入力端末と、エンドユーザの要求に基づいて、システム提供者側装置のＷｅｂサーバに保存されている個別情報をシステム提供者側装置から供給媒体に追記し発行する商品媒体発行端末とを備えていることを特徴とする。
【００２８】
（５）  ：エンドユーザが求める情報を媒体に入れ発行するサービス事業者側装置と、サービスシステムを提供するシステム提供者側装置とを備え、媒体によるコンテンツ発行を行うシステムの前記システム提供者側装置であって、Ｗｅｂサーバと、レーベル印刷装置と、媒体データ書込装置を備えると共に、前記Ｗｅｂサーバは、サービス事業者側装置から受け取ったレーベルデザインデータを保存するレーベルデザインデータファイルと、サービス事業者側装置から受け取った共通情報を保存する共通情報ファイルと、媒体に記録された情報を閲覧する情報閲覧プログラムを保存する情報閲覧プログラムファイルと、サービス事業者側装置から受け取った個別情報を保存する個別情報ファイルを備えていることを特徴とする。
【００２９】
（作用）
前記構成に基づく本発明の作用を、図１に基づいて説明する。
【００３０】
（ａ）  ：前記（１）  では、システム提供者側装置２はサービス事業者側装置１から提供される共通情報に基づき、レーベルの印刷と共通情報の書き込みを施した供給媒体をサービス事業者側装置１に事前に提供し、サービス事業者側装置１はエンドユーザ３の注文に応じた個別情報のみを供給媒体に追記することで、エンドユーザ３から求める情報を入れた媒体を発行する。
【００３１】
このようにすれば、エンドユーザ３の要求発生時点から、サービス事業者側装置１がエンドユーザ３の求める情報を媒体に入れて発行する時点までの時間差を短縮し、エンドユーザ３の要求が発生した時点で情報を媒体に入れて現場で発行すると共に、サービス事業者側が必要とする明確なコストだけをシステム提供者側に支払うビジネルモデルを構築することができる。
【００３２】
（ｂ）  ：前記（２）  では、システム提供者側装置２は、共通情報と個別情報の内容の違いに関わらず、これらをハイパーリンクで参照できるＨＴＭＬで記述されたファイルと、これを閲覧するための情報閲覧プログラムを供給媒体に同梱してサービス事業者側装置１に提供する。
【００３３】
このようにすれば、エンドユーザ３の要求発生時点から、サービス事業者側装置１がエンドユーザ３の求める情報を媒体に入れて発行する時点までの時間差を短縮し、エンドユーザ３の要求が発生した時点で情報を媒体に入れて現場で発行すると共に、サービス事業者側が必要とする明確なコストだけをシステム提供者側に支払うビジネルモデルを構築することができる。
【００３４】
（ｃ）  ：前記（３）  では、システム提供者側装置２は、供給媒体を提供することで、サービス事業者側装置１から対価を得ると共に、サービス事業者側装置１は、供給媒体に個別情報を書き込み、エンドユーザ３に発行することで対価を得ることができる。
【００３５】
このようにすれば、サービス事業者側が必要とする明確なコストだけをシステム提供者側に支払うビジネルモデルを構築することができる。
【００３６】
（ｄ）  ：前記（４）  のサービス事業者側装置１では、共通情報入力端末１１がサービス事業者が記録媒体のレーベルデザイン、エンドユーザに伝えたい情報、広告などの共通情報を作成し、システム提供者側装置２のＷｅｂサーバ２１にアップロードし、個別情報入力端末１２が、サービス事業者側装置１が各エンドユーザ３に対応した個別情報を取得して作成し、システム提供者側装置２のＷｅｂサーバ２１にアップロードし、商品媒体発行端末１３Ａが、サービス事業者側装置１がエンドユーザ３の要求に基づいて、システム提供者側装置２のＷｅｂサーバ２１に保存されている個別情報をシステム提供者から供給媒体に追記し発行する。
【００３７】
このようにすれば、エンドユーザ３の要求発生時点から、サービス事業者側装置１がエンドユーザ３の求める情報を媒体に入れて発行する時点までの時間差を短縮し、エンドユーザ３の要求が発生した時点で情報を媒体に入れて現場で発行すると共に、サービス事業者側が必要とする明確なコストだけをシステム提供者側に支払うビジネルモデルを構築することができる。
【００３８】
（ｅ）  ：前記（５）  のシステム提供者側装置２では、Ｗｅｂサーバ２１は、レーベルデザインデータファイル２５にサービス事業者側装置１から受け取ったレーベルデザインデータを保存し、共通情報ファイル２６にサービス事業者側装置１から受け取った共通情報を保存し、個別情報ファイル２８にサービス事業者側装置１から受け取った個別情報を保存する。そして、情報閲覧プログラムファイル２７には、媒体に記録された情報を閲覧するための情報閲覧プログラムを格納する。
【００３９】
このようにすれば、エンドユーザ３の要求発生時点から、サービス事業者側装置１がエンドユーザ３の求める情報を媒体に入れて発行する時点までの時間差を短縮し、エンドユーザの要求が発生した時点で情報を媒体に入れて現場で発行すると共に、サービス事業者側が必要とする明確なコストだけをシステム提供者側に支払うビジネルモデルを構築することができる。
【００４０】
【発明の実施の形態】以下、本発明の実施の形態を図面に基づいて詳細に説明する。なお、以下の実施の形態では、商品媒体（又は「媒体」）として、ＣＤ（コンパクトディスク）に適用した例について説明する。
【００４１】
§１：システムの説明
図２はシステムの説明図である。このシステムは、商品媒体としてコンパクトディスク（以下「ＣＤ」と記す）に適用した例であり、サービス事業者側装置１と、システム提供者側装置２を含んで構成されており、エンドユーザ３に対してサービスを提供するシステムである。
【００４２】
そして、サービス事業者側装置１（例えば、テーマパークの装置）は、共通情報入力端末１１と、個別情報入力端末１２と、商品ＣＤ発行端末１３を備えている。また、システム提供者側装置２は、Ｗｅｂサーバ２１と、レーベル印刷装置２２と、ＣＤデータ書込装置２３を備えると共に、前記Ｗｅｂサーバ２１は、レーベルデザインデータファイル２５と、共通情報ファイル２６と、情報閲覧プログラムファイル２７と、個別情報ファイル２８を備えている。
【００４３】
前記サービス事業者側装置１の共通情報入力端末１１は、サービス事業者側装置１が記録媒体としてＣＤのレーベルやエンドユーザ３に伝えたい情報や広告等の共通情報を作成し、システム提供者側装置２のＷｅｂサーバ２１にアップロードするためのもの（例えば、パーソナルコンピュータ）である。
【００４４】
また、個別情報入力端末１２は、サービス事業者側装置１が各エンドユーザ３に対応した個別情報を取得して作成し、システム提供者側装置２のＷｅｂサーバ２１にアップロードするためのもの（例えば、ビデオカメラ、デジタルカメラ、マイク等を付属させたパーソナルコンピュータ）である。
【００４５】
また、商品ＣＤ発行端末１３は、サービス事業者側装置１がエンドユーザ３の要求に基づいて、システム提供者側装置２のＷｅｂサーバ２１に保存されている個別情報をシステム提供者側装置２から提供される供給媒体のＣＤに追記し発行する端末（例えば、ＣＤへの情報の記録等が可能な専用の装置）である。
【００４６】
システム提供者側装置２のレーベル印刷装置２２は、Ｗｅｂサーバ２１に保存されているレーベルデザインに基づいてＣＤのレーベルを印刷するものである。ＣＤデータ書込装置２３は、Ｗｅｂサーバ２１に保存されている共通情報や情報閲覧プログラムファイル２７のプログラムをＣＤに書き込むものである。Ｗｅｂサーバ２１は、インターネット上のサーバであり、システム提供者側装置の各端末などからアクセスできる装置であり、前記レーベルデザインデータファイル２５と、共通情報ファイル２６と、情報閲覧プログラムファイル２７と、個別情報ファイル２８は、例えば、Ｗｅｂサーバ２１内のハードディスク装置に記憶されたファイルである。
【００４７】
§２：システムの処理の説明
図３はシステムの処理フローチャートである。以下、図３を参照しながら前記システムの処理を説明する。なお、図３中、Ｓ１〜Ｓ１３は各処理ステップを示す。
【００４８】
Ａ：サービス事業者側装置１は、事前に、共通情報入力端末１１で記録媒体のＣＤのレーベルデザインや、エンドユーザ３に伝えたい情報や広告などの共通情報を作成し、システム提供者側装置２のＷｅｂサーバ２１にアップロードしておく（Ｓ１）。
【００４９】
Ｂ：サービス事業者側装置１は、必要な枚数の供給媒体であるＣＤを見積もり、システム提供者側装置２に発注する（Ｓ２）。
【００５０】
Ｃ：システム提供者側装置２は、サービス事業者側装置１から供給媒体のＣＤを受注し（Ｓ１０）、空のＣＤにＷｅｂサーバ２１に保存されている（レーベルデザインデータファイル２５内の）レーベルデザインを印刷する（Ｓ１１）。
【００５１】
Ｄ：システム提供者側装置２は、Ｗｅｂサーバ２１に保存されている共通情報（共通情報ファイル２６内の共通情報）と情報閲覧プログラム（情報閲覧プログラムファイル２７内の閲覧情報プログラム）をレーベル印刷媒体（ＣＤ）に書き込み（Ｓ１２）、サービス事業者側装置１に提供し、対価を取得する（Ｓ１３）。
【００５２】
Ｅ：サービス事業者側では、システム提供者側側からＣＤを受領し、供給媒体に対して対価を支払う（Ｓ３）。
【００５３】
Ｆ：サービス事業者側装置１は、個別情報入力端末１２で、エンドユーザ３に対応した個別の情報を取得し、システム提供者側装置２のＷｅｂサーバ２１にアップロードする（Ｓ４）。
【００５４】
Ｇ：サービス事業者側装置１は、商品ＣＤ発行端末１３で、エンドユーザ３から要求のあった時点（受注があれば）で（Ｓ５）、Ｗｅｂサーバ２１に保存されている個別情報（個別情報ファイル２８内の個別情報）のみをシステム提供者側装置２から提供された供給媒体であるＣＤに追記するたでけで良い（Ｓ６）。
【００５５】
Ｈ：サービス事業者側装置１は、エンドユーザ３に商品媒体であるＣＤを発行し、対価を得る（Ｓ７）。
【００５６】
Ｉ：サービス事業者側装置１は、サービスを継続するなら（Ｓ８）、供給媒体のＣＤの在庫を確認し、十分な在庫が有れば（Ｓ９）、前記Ｆの処理（Ｓ４）へ戻るサービスを継続する。しかし、在庫が無ければ、前記Ｂの処理（Ｓ２）に戻り、サービスを継続する。
【００５７】
§３：システムの処理概要の説明
図４はシステムの処理概要説明図、図５は個別情報送信時の説明図、図６は個別情報追記時の説明図、図７は商品ＣＤの内容の説明図である。以下、図４乃至図７を参照しながら具体的な例について説明する。
【００５８】
この例のシステムでは、エンドユーザ３、サービス事業者側装置１、システム提供者側装置２を備え、サービス事業者側装置１は、レーベル／広告入力端末、商品ＣＤ発行端末を備える。システム提供者側装置２は、Ｗｅｂサーバ２１、レーベルプリンタ、ＣＤライタを備える。
【００５９】
レーベル／広告入力端末は、サービス事業者側装置１がＣＤのレーベルデザインやエンドユーザに伝えたい広告を作成し、システム提供者側装置２のＷｅｂサーバ２１にアップロードするためのもの（図２の共通情報入力端末１１に対応）である。個別画像入力端末（図２の個別情報入力端末１２に対応）は、サービス事業者側装置１が各エンドユーザ３に対応した個別画像を取得し、システム提供者側装置２のＷｅｂサーバ２１にアップロードするためのものである。
【００６０】
また、商品ＣＤ発行端末１３は、サービス事業者側装置１がエンドユーザ３の要求に基づいて、システム提供者側装置２のＷｅｂサーバ２１に保存されている個別画像をシステム提供者側装置２から供給される供給ＣＤに追記し発行する端末である。
【００６１】
システム提供者側装置２のレーベルプリンタは、Ｗｅｂサーバ２１に保存されているレーベルデザインに基づいてＣＤのレーベルを印刷するものである。ＣＤライタはＷｅｂサーバ２１に保存されている広告や画像閲覧プログラムをＣＤに書き込むものである。以下、この例の処理について説明する。
【００６２】
ａ：サービス事業者側装置１は、事前に、レーベル／広告入力端末で、ＣＤのレーベルデザインやエンドユーザ３に伝えたい広告を作成し、システム提供者側装置２のＷｅｂサーバ２１にアップロードする。
【００６３】
ｂ：サービス事業者側装置１は、必要な枚数の供給ＣＤを見積もり、システム提供者側装置２に発注する。
【００６４】
ｃ：システム提供者側装置２は、サービス事業者側装置１から供給ＣＤを受注し、空のＣＤにエンドユーザ３に保存されているレーベルデザインを印刷する。
【００６５】
ｄ：システム提供者側装置２は、広告と個別画像の内容の違いに関わらず、これらをハイパーリンクで参照できるＨＴＭＬ（Ｈｙｐｅｒ  Ｔｅｘｔ  Ｍａｒｋｕｐ  Ｌａｎｇｕａｇｅ）に記述されていたファイルとこれを閲覧するためのソフトウェアなどの情報閲覧プログラムをＣＤに書き込みサービス事業者側装置１に提供する。
【００６６】
ｅ：サービス事業者側装置１は、システム提供者側装置２から供給ＣＤを受け取り、供給ＣＤに対して対価を支払う。
【００６７】
ｆ：サービス事業者側装置１は、図５に示すように、個別画像入力端末（図２の個別情報入力端末１２に対応）で、ＲＦＩＤ（Ｒａｄｉｏ  Ｆｒｅｑｕｅｎｃｙ  Ｉｄｅｎｔｉｃａｔｉｏｎ）タグを提示したエンドユーザ３に対応した個別画像を取得し、システム提供者側装置２のＷｅｂサーバ２１にアップロードする。そして、個別画像のＩＤをＲＦＩＤタグに追記させる。
【００６８】
ｇ：サービス事業者側装置１は、図６に示すように、商品ＣＤ発行端末１３で、エンドユーザ３からＲＦＩＤタグの提示を受けた時点で、ＲＦＩＤタグに記憶された個別画像のＩＤに基づき、Ｗｅｂサーバ２１に保存されている対応する個別画像のみをシステム提供者側装置２から供給される供給ＣＤに追記する。
【００６９】
ｈ：サービス事業者側装置１は、エンドユーザ３に商品ＣＤを発行し対価を得る。
【００７０】
ｉ：サービス事業者側装置１は、サービスを継続するなら、供給ＣＤの在庫を確認し、十分な在庫が有れば、前記ｆの処理に戻り、サービスを継続する。しかし、在庫が十分なければ、前記ｂの処理に戻り、サービスを継続する。
ｊ：エンドユーザ３は、受け取ったＣＤをＣＤ再生装置で再生すると、図７のようにして自動再生する。先ず、画面上にＨＴＭＬファイルが表示される。この表示から再生を開始すると、共通画像１の再生→個別画像１の再生→共通画像２の再生→個別画像２の再生の順に自動的に再生が行なわれる。
【００７１】
§４：各部の具体例１の説明
図８は情報システム例の概念図、図９は画像を撮影する手順を示すフローチャート、図１０は撮影画像を画像記録媒体で提供する手順を示すフローチャートである。なお、特許文献２には本願の図４、図５の更なる具体例に相当する例が記載されているので、以下、その例を、図８乃至図１０として図示し、本発明の図４、図５の更なる具体例として説明する。
【００７２】
（１）  ：先ず、図８を参照しながら、情報記録媒体配付の場面について説明する。ここでは、当娯楽の利用者に画像ＩＤ情報を記録できる情報記録媒体ＩＤを配付する。この情報記録媒体ＩＤとしては、ＲＦＩＤ（Ｒａｄｉｏ  Ｆｒｅｑｕｅｎｃｙ  Ｉｄｅｎｔｉｆｉｃａｔｉｏｎ）タグやＩＣ（Ｉｎｔｅｇｒａｔｅｄ  Ｃｉｒｃｕｉｔ）カードのような記録可能な媒体を利用する。
【００７３】
なお、この情報記録媒体ＩＤには、各媒体を識別する番号を付与する必要はない。特に、情報記録媒体ＩＤを紛失し、第三者が画像を視聴することに抵抗など感じる利用者に対しては、同記録媒体ＩＤに暗証番号を設定しても良い。
【００７４】
（２）  ：次に、撮影の場面について説明する。画像としては、静止画や動画が考えられるので、各場面について説明する。
【００７５】
撮影の場面には、情報記録媒体ＩＤに動画ＩＤを記録する画像ＩＤ取得装置１１ａと、カメラ１１ｂと、制御装置１１ｃから構成される撮影装置１１が設けられる。制御装置１１ｃとは、ネットワーク等を介して画像を保存するための画像データベース（以下、「画像ＤＢ」という）１３が接続され、カメラ１１ｂで撮影した画像は、画像ＩＤとともに、画像ＤＢ１３に格納される。
【００７６】
（３）  ：以下、撮影の場面において、画像を撮影する手順について、図９により説明する。なお、図９の（ａ）は撮影画面が静止画の場合、（ｂ）は撮影画面が動画の場合である。また、Ｓ１〜Ｓ５は各ステップを示す。
【００７７】
ａ）撮影画面が静止画の場合｛図９の（ａ）参照｝
利用者が撮影エリアに進入したことを、赤外線センサ等のセンサで検知するＳ１）。そして、撮影装置１１は利用者に撮影開始のタイミングを通知する（Ｓ２）。通知の方法としては、表示パネルで撮影開始までの時間を表示しても良いし、音声合成などで撮影開始までの時間を音声で利用者に通知しても良い。
【００７８】
撮影時間が来たら撮影を行うが、それと同時に情報記録媒体に画像ＩＤを記録する（Ｓ３）。なお、情報記録媒体ＩＤへのこの画像ＩＤの記録としては、利用者が撮影エリアに進入前に画像ＩＤ取得装置１１ａに情報記録媒体ＩＤを設定し、撮影に合わせて画像ＩＤを記録しても良いし、非接触で画像ＩＤを記録できる場合には、利用者が保有している情報記録媒体ＩＤに直接、画像ＩＤを記録しても良い。そして、撮影装置１１は画像ＩＤも含めて撮影した静止画を画像データベースに登録する（Ｓ４）。
【００７９】
ｂ）撮影画面が動画の場合｛図９の（ｂ）参照｝
利用者が撮影エリアに進入したことを、赤外線センサ等のセンサで検知する（Ｓ１）。そして、撮影装置１１は利用者に撮影開始のタイミングを通知する（Ｓ２）。通知の方法としては、表示パネルで撮影開始までの時間を表示しても良いし、音声合成などで撮影開始までの時間を音声で利用者に通知しても良い。
【００８０】
撮影時間が来たら動画を撮影し、撮影が終了した時点で、情報記録媒体ＩＤに画像ＩＤを記録する（Ｓ４、Ｓ５）。そして、撮影装置１１は画像ＩＤも含めて撮影した動画を画像データベースに登録する（Ｓ６）。なお、前記ａ）とｂ）の画像ＩＤは、撮影場所毎に割り振った番号や撮影日時等から設定する。例えば、画像ＩＤを「撮影箇所番号」「年」「月」「日」「時」「分」「秒」「ミリ秒」の順に作成する場合を説明する。仮に娯楽施設内の撮影箇所が４箇所あるとすると、その４箇所に１〜４の番号を割り振る。
【００８１】
今、３番目の撮影箇所で撮影したものとし、その時の撮影開始時刻が２００２年１０月７日１０時１５分３０秒であるとする。この場合、撮影した画像の画像ＩＤは、３２００２１００７１０１５３０００となる。但し、図では分かりやすいように画像ＩＤを３桁で略記している。
【００８２】
（４）  ：次に、図８の３）画像提供の場面で、撮影した画像を利用者にどのように提供するかについて説明する。
【００８３】
画像提供の場面には、画像ＩＤ取得装置１２ａと制御装置１２ｂから構成される画像提供装置１２が設けられており、画像提供装置１２は、ネットワーク等を介して画像ＤＢ１３に接続されている。利用者に撮影した画像を提供する場合は、画像提供装置１２は画像ＩＤ取得装置１２ａにより、利用者の情報記録媒体ＩＤから取得する。そして、画像提供装置１２の制御装置１２ｂは、画像ＩＤ取得装置１２ａが取得した画像ＩＤを元に、画像ＤＢ１３から該当する画像を取得し、利用者に提供する。
【００８４】
利用者に画像を提供する方法としては、ＣＤ、ＤＶＤ、ＭＯなどの画像記録媒体で提供する方法と、インターネットを介して画像を提供する方法がある。画像記録媒体で提供する場合には、画像提供装置１２に画像記録媒体作成装置が設けられ、画像記録媒体作成装置で提供する画像を格納した画像記録媒体を作成する。
【００８５】
また、インターネットで提供する場合は、例えば、画像提供装置１２に認証情報発券装置が設けられ、該発券装置で発券される認証情報発券装置に記録された認証情報を用いて、利用者の自宅等のパソコンから画像の提供を受ける。
【００８６】
更に、再生プログラムを含んだ画像記録媒体を提供する場合には、画像提供装置１２に、コンテンツ再生プログラムを格納したデータベースとコンテンツ作成装置と画像記録媒体作成装置が設けられ、コンテンツ作成装置によりコンテンツを作成し、画像記録媒体作成装置によりコンテンツをコンテンツ再生プログラムと共に記録した画像記録媒体を作成し、利用者に自動再生可能な画像記録媒体を提供する。
【００８７】
以上により、情報記録媒体へ撮影した画像ＩＤを記録し、その画像ＩＤを元に画像を利用者に提供することができる。
【００８８】
（５）  ：以下、画像記録媒体で提供する場合と、インターネットを介して画像を提供する場合のそれぞれについて説明する。
【００８９】
ａ）画像記録媒体で提供する場合
図１０は、撮影画像を画像記録媒体で提供する手順を示す図である。なお、図１０のＳ１〜Ｓ９は各処理ステップを示す。
【００９０】
先ず、利用者は、情報記録媒体ＩＤを画像提供装置１２の画像ＩＤ取得装置１２ａに設置する（Ｓ１）。情報記録媒体ＩＤには、画像ＩＤ（例えば、ＩＤ：１２３、ＩＤ：７８９）が記録されている。情報記録媒体ＩＤに暗証番号が設定されている場合には、暗証番号を利用者に入力させ、利用者が正しいことを確認する（Ｓ２、Ｓ３）。
【００９１】
そして、画像ＩＤ取得装置１２ａは、利用者の情報記録媒体ＩＤから撮影画像の画像ＩＤを取得する（Ｓ４）。画像ＩＤ取得装置１２ａは、利用者が複数の情報記録媒体から画像を取り出したいかを利用者に問い合わせる（Ｓ５）。この時、２枚の情報記録媒体を用いて画像を取得する場合には、別の情報記録媒体に差し替えて、同様に画像ＩＤを取得する（Ｓ６→Ｓ１〜Ｓ５）。
【００９２】
画像ＩＤを取得し終わったら、画像提供装置１２の制御装置１２ｂは、取得した画像ＩＤの画像を画像ＤＢ１３から取得とする（Ｓ７）。取得後、画像提供装置１２は取得した画像を画像記録媒体に記録し（Ｓ８）、利用者に提供する（Ｓ９）。
【００９３】
利用者は、画像提供装置１２から得た画像記録媒体を自宅のパソコンで再生することにより、娯楽施設で撮影した画像を楽しむことができる。
【００９４】
§５：各部の具体例２の説明
図１１は図７の具体例の動作説明フローチャートである。なお、特許文献３には本願の図７の更なる具体例に相当する例が記載されているので、以下、その例を、図１１として図示し、本発明の図７の更なる具体例として説明する。
【００９５】
（１）  ：図１１において、Ｓ１１は、情報提供を開始する。Ｓ１２は、ハイパーテキストのタグに基づく要素を抽出する。これは、番組リスト２１の番組のＵＲＬ（アドレス）をもとにインターネットからダウンロードしたハイパーテキストである。例えば、ＨＴＭＬタキスト中からタグをもとに要素を抽出、例えば、タグ＜Ｐ＞とタグ＜／Ｐ＞ではさまれた部分の要素を抽出し、抽出結果リストのＮＯ．１のエントリに設定することを該当ＨＴＭＬテキストの全部について繰り返し、結果リストを作成する。
【００９６】
Ｓ１３は、Ｊ＝１と初期設定する。Ｓ１４は、Ｊ番目の抽出要素を取り出す。これは、Ｓ１２で抽出した例えば、抽出結果リスト中の先頭のＪ＝１のエントリの要素を取り出し、要素ありか、なしかを判別する。要素ありの場合にはＳ１５に進。要素なしの場合には終了する。
【００９７】
Ｓ１５は、テキストの有無を判別する。ありの場合には、Ｓ１６で該当ありのテキストを音声合成してスピーカから発声し、Ｓ１７へ進。一方、ＮＯの場合には、Ｓ１７へ進。
【００９８】
Ｓ１７は、リンクの有無を判別する。これは、抽出結果リストのエントリで▲１▼のエントリなしと判別し、▲２▼のエントリは有りと判別する。ありの場合は、リンク有りと判明したので、Ｓ１８に進み、リンク先の素材の再生などを行う。一方、なしの場合には、リンクなしと判明したので、Ｓ１９で＋１し、次のエントリについて同様に再生を繰り返す。
【００９９】
Ｓ１８は、Ｓ１７のありで、リンクがあると判明したので、素材の種類に基づいて再生する。これは、リンク先のＵＲＬの素材を取り出し（あるいはインターネットの該当するＵＲＬのサーバからダウンロードし）当該素材の合致したプレイヤで再生する（例えば音楽の場合には音楽プレイヤで再生、動画の場合には該当する動画プレイヤで再生する）。
【０１００】
そして、再生が終了したら、Ｓ１９に進み、＋１して次のエントリについてＳ１４以降を同様に繰り返す。
【０１０１】
以上の手順によって、ＵＲＬからダウンロードしたハイパーテキストであるＨＴＭＬテキストからタグをもとに、要素を抽出してテキストを表示すると共に、テキストとリンク先を対応づけて順次登録し、次に、抽出結果リストの先頭のエントリから順にテキストを音声合成して発声およびリンクがあればそのリンクの素材を取り出して（あるいはダウンロードして）当該素材に合致したプレイヤーで再生することを繰り返すことにより、ダウンロードしたハイパーテキストを自動的にテキストを音声合成して発声および素材をプレイヤで自動的に順次再生することが可能となる。
【０１０２】
【発明の効果】以上説明したように、本発明によれば次のような効果がある。
【０１０３】
（１）  ：サービス事業者側装置の求めるレーベルデザインや共通情報を印刷／記録した供給媒体をシステム提供者側装置が事前準備することで、サービス事業者側装置は、エンドユーザの求める個別情報のみを供給媒体に追記することが可能となり、エンドユーザの要求が発生した時点で情報を媒体に入れて現場で発行できる。
【０１０４】
（２）  ：サービス事業者側装置がシステム提供者側装置の供給する供給媒体にのみ対価を支払うビジネスモデルを構築することによって、サービス事業者側装置は設備コストを抑え、ランニングコストを明確化できるため、ビジネスリスクを抑えることができ、比較的容易にサービスを導入できる。
【０１０５】
（３）  ：システム提供者側装置は、設備コストを供給媒体のコストに上乗せして長期で回収でき、初期投資の負担を減らすことにより、ビジネスパートナーを増やせる可能性があり、設備コスト回収後は供給媒体の提供による定常的な収益を期待できる。
【０１０６】
前記の効果の外に、各請求項に対応して次のような効果がある。
【０１０７】
（４）  ：請求項１では、システム提供者側装置はサービス事業者側装置から提供された共通情報に基づき、レーベルの印刷と共通情報の書き込みを施した供給媒体をサービス事業者側装置に事前に提供し、サービス事業者側装置はエンドユーザの注文に応じた個別情報のみを供給媒体に追記することで、エンドユーザから求める情報を入れた媒体を発行する。
【０１０８】
このようにすれば、エンドユーザの要求発生時点から、サービス事業者側装置がエンドユーザの求める情報を媒体に入れて発行する時点までの時間差を短縮し、エンドユーザの要求が発生した時点で情報を媒体に入れて現場で発行すると共に、サービス事業者側が必要とする明確なコストだけをシステム提供者側に支払うビジネルモデルを構築することができる。
【０１０９】
（５）  ：請求項２では、システム提供者側装置は、共通情報と個別情報の内容の違いに関わらず、これらをハイパーリンクで参照できるＨＴＭＬで記述されたファイルと、これを閲覧するための情報閲覧プログラムを供給媒体に同梱してサービス事業者側装置に提供する。
【０１１０】
このようにすれば、エンドユーザの要求発生時点から、サービス事業者側装置がエンドユーザの求める情報を媒体に入れて発行する時点までの時間差を短縮し、エンドユーザの要求が発生した時点で情報を媒体に入れて現場で発行すると共に、サービス事業者側が必要とする明確なコストだけをシステム提供者側に支払うビジネルモデルを構築することができる。
【０１１１】
（６）  ：請求項３では、システム提供者側装置は、供給媒体を提供することで、サービス事業者側装置から対価を得ると共に、サービス事業者側装置は、供給媒体に個別情報を書き込み、エンドユーザに発行することで対価を得ることができる。
【０１１２】
このようにすれば、サービス事業者側が必要とする明確なコストだけをシステム提供者側に支払うビジネルモデルを構築することができる。
【０１１３】
（７）  ：請求項４では、サービス事業者側装置の共通情報入力端末では、記録媒体のレーベルデザイン、エンドユーザに伝えたい情報、広告などの共通情報を作成し、システム提供者側装置のＷｅｂサーバにアップロードし、個別情報入力端末では、サービス事業者側装置が各エンドユーザに対応した個別情報を取得して作成し、システム提供者側装置のＷｅｂサーバにアップロードし、商品媒体発行端末では、サービス事業者側装置がエンドユーザの要求に基づいて、システム提供者側装置のＷｅｂサーバに保存されている個別情報をシステム提供者から供給媒体に追記し発行する。
【０１１４】
このようにすれば、エンドユーザの要求発生時点から、サービス事業者側装置がエンドユーザの求める情報を媒体に入れて発行する時点までの時間差を短縮し、エンドユーザの要求が発生した時点で情報を媒体に入れて現場で発行すると共に、サービス事業者側が必要とする明確なコストだけをシステム提供者側に支払うビジネルモデルを構築することができる。
【０１１５】
（８）  ：請求項５では、システム提供者側装置は、Ｗｅｂサーバと、レーベル印刷装置と、媒体データ書込装置を備え、Ｗｅｂサーバは、レーベルデザインデータファイルにサービス事業者側装置から受け取ったレーベルデザインデータを保存し、共通情報ファイルにサービス事業者側装置から受け取った共通情報を保存し、個別情報ファイルにサービス事業者側装置から受け取った個別情報を保存する。そして、情報閲覧プログラムファイルには、媒体に記録された情報を閲覧するための情報閲覧プログラムを格納する。
【０１１６】
このようにすれば、エンドユーザの要求発生時点から、サービス事業者側装置がエンドユーザの求める情報を媒体に入れて発行する時点までの時間差を短縮し、エンドユーザの要求が発生した時点で情報を媒体に入れて現場で発行すると共に、サービス事業者側が必要とする明確なコストだけをシステム提供者側に支払うビジネルモデルを構築することができる。
【図面の簡単な説明】
【図１】本発明の原理説明図である。
【図２】本発明の実施の形態におけるシステムの説明図である。
【図３】本発明の実施の形態におけるシステムの処理フローチャートである。
【図４】本発明の実施の形態におけるシステムの処理概要説明図である。
【図５】本発明の実施の形態における個別情報送信時の説明図である。
【図６】本発明の実施の形態における個別情報追記時の説明図である。
【図７】本発明の実施の形態における商品ＣＤの内容の説明図である。
【図８】本発明の実施の形態における情報システム例の概念図である。
【図９】本発明の実施の形態における画像を撮影する手順を示すフローチャートである。
【図１０】本発明の実施の形態における撮影画像を画像記録媒体で提供する手順を示すフローチャートである。
【図１１】本発明の実施の形態における図７の具体例の動作説明フローチャートである。
【図１２】従来例の説明図（その１）である。
【図１３】従来例の説明図（その２）である。
【符号の説明】
１  サービス事業者側装置
２  システム提供者側装置
３  エンドユーザ
１１  共通情報入力端末
１２  個別情報入力端末
１３  商品ＣＤ発行端末
１３Ａ  商品媒体発行端末
２１  Ｗｅｂサーバ
２２  レーベル印刷装置
２３  ＣＤデータ書込装置
２３Ａ  媒体データ書込装置
２５  レーベルデザインデータファイル
２６  共通情報ファイル
２７  情報閲覧プログラムファイル
【図１】
2004348305.tif 000003
【図２】
2004348305.tif 000004
【図３】
2004348305.tif 000005
【図４】
2004348305.tif 000006
【図５】
2004348305.tif 000007
【図６】
2004348305.tif 000008
【図７】
2004348305.tif 000009
【図８】
2004348305.tif 000010
【図９】
2004348305.tif 000011
【図１０】
2004348305.tif 000012
【図１１】
2004348305.tif 000013
【図１２】
2004348305.tif 000014
【図１３】
2004348305.tif 000015